(57)【要約】      （修正有）【課題】直角でない出隅部あるいは入り隅部においても、壁面との間に隙間の状態で融雪パネルを敷設することのできる融雪すのこを提供する。【解決手段】線状発熱体を収容するための伝熱カバー１０の複数本が平行に敷設されてなる伝熱カバー群と伝熱カバー群に交差するように配設された伝熱性の梁材２０とからなる枠材Ｂと、伝熱カバー１０内に収容された線状発熱体とを備えた融雪すのこＡ１において、伝熱カバー群の長手方向の一方の端部側を結ぶ仮想直線Ｌ１と他方の端部側を結ぶ仮想直線Ｌ２とを、平面視で互いに平行ではなく一方が他方に対して傾斜した姿勢とする。【選択図】図１
0003192346.tif 000002
【実用新案登録請求の範囲】
【請求項１】
線状発熱体を収容するための伝熱カバーの複数本が平行に敷設されてなる伝熱カバー群と前記伝熱カバー群に交差するように配設された伝熱性の梁材とを有し各伝熱カバーの底面が前記梁材に面接触した姿勢で位置決め固定されている枠材と、前記枠材の少なくとも前記伝熱カバー内に収容された線状発熱体とを備えた融雪すのこであって、
前記複数本の伝熱カバーは長さが異なっており、最長の伝熱カバーから最短の伝熱カバーまで長さの順に敷設されており、それにより、前記伝熱カバー群の長手方向の一方の端部側を結ぶ仮想直線と他方の端部側を結ぶ仮想直線とは平面視で互いに平行ではなく一方が他方に対して傾斜した姿勢となっていることを特徴とする融雪すのこ。
【請求項２】
隣接する前記線状発熱体の端部同士が湾曲状の線状発熱体を介して繋げられており、前記湾曲状の線状発熱体の先端部分の一方の端部側を結ぶ仮想直線と他方の端部側を結ぶ仮想直線も平面視で互いに平行ではなく一方が他方に対して傾斜した姿勢となっていることを特徴とする請求項１に記載の融雪すのこ。
【請求項３】
前記湾曲状の線状発熱体を収容する一対の第２の伝熱カバーをさらに備えており、前記一対の第２の伝熱カバーの先端部分も平面視で互いに平行ではなく一方が他方に対して傾斜した姿勢となっていることを特徴とする請求項２に記載の融雪すのこ。
【考案の詳細な説明】
【技術分野】
【０００１】
本考案は、線状発熱体をその熱源とする融雪すのこに関する。
【背景技術】
【０００２】
従来、建造物の屋根等の積雪を融雪するために、支持基盤となる屋根等の上に発熱体を配設し、この発熱体にアルミニウムなどの放熱板を載置してなる融雪装置が用いられている。かかる融雪装置によれば、降雪時に発熱体を発熱させ、発熱体から発せられる熱を放熱板に伝えることにより、屋根上に降雪した雪が積もる前に融雪することができる。上記する融雪装置の一例として、特許文献１には、平面視で長方形状の融雪すのこであって、線状発熱体を収容した同じ長さの伝熱カバーの複数本が平行に並べて敷設され、それぞれの伝熱カバーと交差するように伝熱性の梁材が配設され、前記伝熱カバーの底面が前記梁材に面接触した姿勢で位置決め固定されている融雪すのこが記載されている。この融雪すのこは、すべての伝熱カバーの底面と伝熱性の梁材が面接触した姿勢で固定されるため、線状発熱体から伝熱カバーに伝達された熱は効果的に梁材に伝熱される。そのため、伝熱カバーの直上やその近傍は勿論のこと、隣接する伝熱カバー間の隙間にも梁材を介して放熱されることで、融雪すのこの全領域にわたる融雪効果を十分に期待することができる。
【先行技術文献】
【特許文献】
【０００３】
【特許文献１】特許第４８０５７５３号公報
【考案の概要】
【考案が解決しようとする課題】
【０００４】
特許文献１に記載される構成を備えた融雪すのこは、高い融雪効果を期待することができる。しかし、複数本の伝熱カバーは同じ長さであり、融雪すのこの全体形状は平面視で長方形あるいは正方形である。近年、この種の融雪すのこに対する需要が高くなっており、直角である入り隅部や出隅部だけでなく、構造的に鋭角あるいは鈍角をなす入り隅部や出隅部に対しても使用することが求められるようになってきている。しかし、全体形状が平面視で長方形あるいは正方形である融雪すのこは、この要請に的確に応えることができず、施工後に一部融雪すのこのない領域、すなわち、壁面の角部と融雪すのことの間に隙間が生じるのを避けられない。本考案は上記の要請に応えるものであり、鋭角あるいは鈍角をなす入り隅部または出隅部などにおいても、壁面との間に隙間のない状態で敷設できるようにした融雪すのこを提供することを課題とする。
【課題を解決するための手段】
【０００５】
本考案による融雪すのこは、線状発熱体を収容するための伝熱カバーの複数本が平行に敷設されてなる伝熱カバー群と前記伝熱カバー群に交差するように配設された伝熱性の梁材とを有し各伝熱カバーの底面が前記梁材に面接触した姿勢で位置決め固定されている枠材と、前記枠材の少なくとも前記伝熱カバー内に収容された線状発熱体とを備えた融雪すのこであって、前記複数本の伝熱カバーは長さが異なっており、最長の伝熱カバーから最短の伝熱カバーまで長さの順に敷設されており、それにより、前記伝熱カバー群の長手方向の一方の端部側を結ぶ仮想直線と他方の端部側を結ぶ仮想直線とは平面視で互いに平行ではなく一方が他方に対して傾斜した姿勢となっていることを特徴とする。
【０００６】
本考案による融雪すのこでは、線状発熱体を収容した伝熱カバーの複数本が平行に敷設されて構成される伝熱カバー群において、その長手方向の一方の端部側を結ぶ仮想直線と他方の端部側を結ぶ仮想直線とは、平面視で互いに平行ではなく一方が他方に対して傾斜した姿勢となっている。具体的形状としては、本考案による融雪すのこは、平面視でほぼ台形またはほぼ三角形をなしている。そのために、鋭角または鈍角をなす入り隅部または出隅部の左右の壁面のなす角度に応じて、前記した融雪すのこの長手方向の一方の端部側を結ぶ仮想直線と他方の端部側を結ぶ仮想直線との交叉角度を適宜設定した融雪すのこを作り、その１つあるいは複数個と平面視で長方形または正方形をなす従来の融雪すのことを用いて角部の施行を行うことにより、角部の壁面との間に隙間のない状態で融雪すのこを設置することができるようになる。
【０００７】
上記の融雪すのこにおいて、伝熱カバー群を構成する各伝熱カバーに収容される線状発熱体は各伝熱カバーのほぼ全長にわたる長さであって、そのすべてが電気的に直列に接続していることが好ましい。また、線状発熱体は各伝熱カバーに接触した状態となっているのが伝熱性向上の観点から好ましい。
【０００８】
本考案による融雪すのこの一態様では、隣接する前記線状発熱体の端部同士が湾曲状の線状発熱体を介して繋げられており、前記湾曲状の線状発熱体の先端部分の一方の端部側を結ぶ仮想直線と他方の端部側を結ぶ仮想直線も平面視で互いに平行ではなく一方が他方に対して傾斜した姿勢となっていることを特徴とする。この態様の融雪すのこは、一本の線状発熱体をすべての伝熱カバーに亘って連続的に配設することができるので、融雪すのこの製造が容易となる。また、伝熱カバー群の長手方向の両端部側方での融雪効果も効果的に確保することができる。
【０００９】
上記の融雪すのこの一態様では、前記湾曲状の線状発熱体を収容する左右一対の第２の伝熱カバーをさらに備えており、前記一対の第２の伝熱カバーの先端部分も平面視で互いに平行ではなく一方が他方に対して傾斜した姿勢となっていることを特徴とする。この態様の融雪すのこは、第２の伝熱カバーを備えることで、前記線状発熱体の端部同士を繋ぐ湾曲状の線状発熱体の部分の融雪効果をより確実なものとすることができるとともに、その領域の機械的強度も確保できるので、現場での施工が容易となる。なお、この態様においても、湾曲状の線状発熱体が各第２の伝熱カバーに接触した状態となっているのが伝熱性向上の観点から好ましい。
【考案の効果】
【００１０】
本考案による融雪すのこを用いることにより、直角でない出隅部あるいは入り隅部においても、壁面との間に隙間のない状態で融雪すのこを敷設することが可能となり、高い融雪効果を確保することができるようになる。
【図面の簡単な説明】
【００１１】
【図１】本考案による融雪すのこの第１の実施の形態を示す平面図。
【図２】図１に示す融雪すのこの側面図（図２（ａ））と正面図（図２（ｂ））。
【図３】図１のａ−ａ線に沿う断面図。
【図４】図１に示す融雪すのこの枠材を示す平面図。
【図５】図４に示す枠材の裏面図。
【図６】図４に示す枠材の正面図。
【図７】枠材を構成する伝熱カバー内に線状発熱体が収容された状態を示す斜視図。
【図８】線状発熱体の端部同士を接続する湾曲状の線状発熱体を説明するための図。
【図９】本考案による融雪すのこの第２の実施の形態を示す平面図。
【図１０】本考案による融雪すのこの第３の実施の形態を示す平面図。
【図１１】融雪すのこを入り隅部に敷設した状態を示す第１の図。
【図１２】融雪すのこを入り隅部に敷設した状態を示す第２の図。
【図１３】融雪すのこを入り隅部に敷設した状態を示す第３の図。
【図１４】融雪すのこを入り隅部に敷設した状態を示す第４の図。
【図１５】融雪すのこを出隅部に敷設した状態を示す第１の図。
【図１６】融雪すのこを出隅部に敷設した状態を示す第２の図。
【図１７】融雪すのこを出隅部に敷設した状態を示す第３の図。
【考案を実施するための形態】
【００１２】
以下、本考案による融雪すのこを実施の形態に基づき説明する。本考案による融雪すのこＡは、基本的に、枠材Ｂと、前記枠材Ｂを構成する伝熱カバー１０内に収容される線状発熱体Ｃとを少なくとも備える。
【００１３】
［第１の実施の形態］
図１〜図８を参照して、本考案による融雪すのこの第１の実施の形態を説明する。第１の実施の形態の融雪すのこＡ１は、図１の平面図に示すように、平面視でほぼ台形をなしている。融雪すのこＡ１は、枠材Ｂと前記枠材Ｂの短手方向の側面に取り付けられた左右一対の第２の伝熱カバー３０ａ，３０ｂと、枠材Ｂと第２の伝熱カバー３０ａ，３０ｂ内に収容された線状発熱体Ｃとを備える。なお、図１で４０は線状発熱体Ｃのための電源線である。
【００１４】
枠材Ｂを説明する。枠材Ｂは、線状発熱体Ｃを収容するための伝熱カバー１０の複数本（図示のものでは９本）が平行に敷設されてなる伝熱カバー群と、前記伝熱カバー群に交差するように配設された伝熱性の梁材２０とを有している。図７に示すように、この例において、伝熱カバー１０は、断面Ｕ字状である下部材１１と、該下部材１１を内部に収容する上部材１２とで構成される。下部材１１は底版１３と左右の側壁１４を有しており、底板１３の裏面は前記梁材２０に面接触している。上部材１２は、天面１５と左右の側壁１６と側壁１６の下端から水平に延出する水平フランジ１７とを有しており、水平フランジ１７の裏面は前記梁材２０に面接触している。
【００１５】
図４に示すように、９本の下部材１１ａ〜１１ｉはそれぞれ長さが異なっており、最も長さの長い下部材１１ａが、図で最も上方に位置しており、以下、長さの順に下部材１１ｂ〜１１ｈまで敷設され、最も長さの短い１１ｉが最も下方に位置している。そして、９本の下部材１１ａ〜１１ｉの一方の端部、図で右側の端部は、平行に配列した下部材１１ａ〜１１ｉの配列方向と直角をなす仮想直線Ｌ１上に位置するように整列している。結果として、９本の下部材１１ａ〜１１ｉの他方の端部、図で左側の端部は、前記した仮想直線Ｌ１とは平行でなく、仮想直線Ｌ１に対して一定角度だけ傾斜した角度をなす仮想直線Ｌ２上に位置するように整列している。仮想直線Ｌ１に対する仮想直線Ｌ２の傾斜角度は、９本の下部材１１ａ〜１１ｉの長さの差分によって定まる。
【００１６】
図４に示す例で、梁材２０は４本用いられており、うち右から３本の梁材２０ａ〜２０ｃは、前記仮想直線Ｌ１と同じ方向に敷設されており、最も左側の梁材２０ｄは、前記仮想直線Ｌ２と同じ角度に傾斜して敷設されている。また、図５の裏面図、図６の正面図に示すように、各梁材２０ａ〜２０ｄの裏面には、弾性体からなる支持脚２１が適数だけ取り付けられている。
【００１７】
前記した各下部材１１ａ〜１１ｉに対して、その上から、各下部材１１ａ〜１１ｉと同じ長さの前記上部材１２を外嵌することで伝熱カバー１０の群が形成される。すなわち、この融雪すのこＡ１において、複数本（９本）の伝熱カバー１０は長さが異なっており、最長の伝熱カバーから最短の伝熱カバーまで長さの順に敷設されており、それにより、伝熱カバー群の長手方向の一方の端部側を結ぶ仮想直線Ｌ１と他方の端部側を結ぶ仮想直線Ｌ２とは平面視で互いに平行ではなく一方が他方に対して傾斜した姿勢となっている。
【００１８】
図７に示す例において、下部材１１が形成する上面を開放した空間内には、その全長にわたって線状発熱体Ｃが収容され、その上面側は上部材１２の天面１５の内面に面接触している。また、線状発熱体Ｃの裏面側と下部材１１の底板１３の内面との間にはひも状の弾性体１８が介装されていて、線状発熱体Ｃを上部材１２の天面１５側に押圧している。線状発熱体Ｃは、従来知られた任意の発熱体であってよいが、この例では、ＰＴＣ素子を備えた線状発熱体Ｃをもちいている。また、図８に示すように、隣接する伝熱カバー１０内に収容された線状発熱体Ｃの端部同士はそれぞれ連続した状態となっており、その連続部は、伝熱カバー１０の端部からほぼ等しい距離だけ延出する湾曲状の線状発熱体Ｃ１となっている。従って、図示しないが、前記湾曲状の線状発熱体Ｃ１の先端部分の一方の端部側を結ぶ仮想直線と他方の端部側を結ぶ仮想直線も、平面視で互いに平行ではなく一方が他方に対して傾斜した姿勢となっている。
【００１９】
図１、図２に示すように、融雪すのこＡ１では、前記した左右の側端部に位置する湾曲状の線状発熱体Ｃ１の部分を収容するための左右一対の第２の伝熱カバー３０ａ，３０ｂが設けられている。一方の第２の伝熱カバー３０ａ、図で右側端部に取り付けられる第２の伝熱カバー３０ａは、断面コ字状をなす平面視で長方形部材であり、上面３１ａと側面３２ａと下面３３ａとで構成される。そして、前記湾曲状の線状発熱体Ｃ１の少なくとも一部は、上面３１ａと側面３２ａと下面３３ａのすべてまたは一部に接触するようになっている。また、図１に示すように、枠材Ｂに取り付けた状態で、第２の伝熱カバー３０ａの前記側面３２ａは前記した仮想直線Ｌ１と平行な姿勢となっている。
【００２０】
他方の第２の伝熱カバー３０ｂ、図で左側端部に取り付けられる第２の伝熱カバー３０ｂは、断面コ字状をなす部材であり、上面３１ｂと側面３２ｂ下面３３ｂとを有するが、平面視で長方形ではなく、平行四辺形をなしている。そして、前記湾曲状の線状発熱体Ｃ１の少なくとも一部は、上面３１ｂと側面３２ｂと下面３３ｂのすべてまたは一部に接触するようになっている。また、第２の伝熱カバー３０ｂの長辺側の傾斜角度、すなわち前記仮想直線Ｌ１に対する傾斜角度は、前記した仮想直線Ｌ２が仮想直線Ｌ１に対してなす角度と同じであり、図１に示すように、枠材Ｂに取り付けた状態で、第２の伝熱カバー３０ｂの前記側面３２ｂは前記した仮想直線Ｌ２と平行な姿勢となっている。
【００２１】
［第２の実施の形態］
図９は、本考案による融雪すのこの第２の実施の形態を示す平面図である。この融雪すのこＡ２は、左右の側端部に位置する湾曲状の線状発熱体Ｃ１の部分を収容するための左右一対の第２の伝熱カバー３０ａ，３０ｂを有しない点で、第１の形態の融雪すのこＡ１と構成が異なっている。他の構成は第１の形態の融雪すのこＡ１と同じであり、同じ符号を付すことで、詳細な説明は省略する。この融雪すのこＡ２においても、前記湾曲状の線状発熱体Ｃ１の先端部分の一方の端部側を結ぶ仮想直線Ｌ１と他方の端部側を結ぶ仮想直線Ｌ２とを、平面視で互いに平行ではなく一方が他方に対して傾斜した姿勢としておくことで、第１の形態の融雪すのこＡ１とほぼ同じ機能を果たすことができる。
【００２２】
［第３の実施の形態］
図１０は、本考案による融雪すのこの第３の実施の形態を示す平面図である。この融雪すのこＡ３は、各伝熱カバー１０内に線状発熱体Ｃが収容されているが、隣接する線状発熱体Ｃの端部同士を繋ぐ湾曲状の線状発熱体Ｃ１を備えていない点で、第１および第２の融雪すのこＡ１，Ａ２と相違する。枠材Ｂの構成は第１および第２の融雪すのこＡ１，Ａ２のものと同じである。各伝熱カバー１０内に収容された線状発熱体Ｃは、枠材Ｂの内部に配線された適宜の通電線（不図示）を介して、直列に接続されている。この態様の融雪すのこＡ３も、第１の形態の融雪すのこＡ１とほぼ同じ機能を果たすことができる。
【００２３】
［その他の実施の形態］
第１〜第３の実施の形態では、伝熱カバー１０として、断面Ｕ字状である下部材１１と該下部材１１を内部に嵌入できる上部材１２とで構成されるものを示したが、伝熱カバー１０は、内部に収容した線状発熱体Ｃが発生する熱を外部に伝熱できる機能を備えるものであれば任意であり、単なる筒状体のような形状のものであってもよい。また、上部材１２として、側壁１６の下端から水平に延出する水平フランジ１７を備えたものを示したが、水平フランジ１７は梁材２０への伝熱性をより高くするために設けられるものであり、所期の伝熱性が得られる場合には、水平フランジ１７を省略することもできる。
【００２４】
［本考案による融雪すのこの使用形態］
次に、本考案による融雪すのこを実際に使用する場合の使用形態の幾つかの例を説明する。図１１〜図１４は入り隅部を例とする場合であり、図１１に示すように、入り隅部の壁面Ｔ１，Ｔ２のなす角度が９０度の場合には、特許文献１に記載されるような全体形状が平面視で長方形あるいは正方形である融雪すのこＳを用いることで、壁面Ｔとの間に隙間のない状態で融雪すのこＳを敷設することができる。
【００２５】
図１２のように、壁面Ｔ１，Ｔ２のなす角度が鋭角であり、隅取り壁Ｔ３を備えるような入り隅部では、融雪すのこＳのみでは壁面Ｔとの間に、三角形状の隙間が形成されるのを避けられない。本考案による融雪すのこＳａをその寸法に合わせて三角形状に形成し、それを敷設することで、その隙間を埋めることができるようになる。
【００２６】
図１３に示すように、融雪すのこＳの寸法によっては、台形状の隙間が形成されることがある。この場合でも台形状をなすように本考案による融雪すのこＳｂを形成し、それを敷設することで、その隙間を埋めることができる。
【００２７】
図１４のように、隅取り壁Ｔ３を備えない入り隅部の場合には、その寸法に合わせて三角形状に形成した２つの本考案による融雪すのこＳａ１、Ｓａ２を適宜組み合わせることで、その隙間を埋めることができる。
【００２８】
図１５〜図１７は出隅部を例とする場合であり、図１５に示すように、出隅部の場合でも壁面Ｔ１，Ｔ２のなす角度が９０度の場合には、特許文献１に記載されるような全体形状が平面視で長方形あるいは正方形である融雪すのこＳを用いることで、壁面Ｔとの間に隙間のない状態で融雪すのこＳを敷設することができる。
【００２９】
図１６のように、壁面Ｔ１，Ｔ２のなす角度が鈍角のような場合には、融雪すのこＳのみでは壁面Ｔと融雪すのこＳとの間に隙間が形成されるのを避けられない。この場合でも、本考案による融雪すのこＳａをその寸法に合わせて三角形状に形成し、それを敷設することで、その隙間を埋めることができる。
【００３０】
図１７のように、壁面Ｔ１，Ｔ２のなす角度が鈍角であり、隅取り壁Ｔ３を備えるような出隅部においても、融雪すのこＳのみでは壁面Ｔと融雪すのこＳの間に、台形状の隙間が形成されるのを避けられない。本考案による融雪すのこＳｂをその寸法に合わせて台形状に形成し、それを敷設することで、その隙間を埋めることができる。
【符号の説明】
【００３１】
Ａ…本考案による融雪すのこ、
Ｂ…枠材、
Ｃ…線状発熱体、
Ｃ１…湾曲状の線状発熱体、
１０…伝熱カバー、
２０…梁材、
３０ａ，３０ｂ…第２の伝熱カバー、
Ｌ１…伝熱カバー群（第２の伝熱カバー）の長手方向の一方の端部側を結ぶ仮想直線、
Ｌ２…伝熱カバー群（第２の伝熱カバー）の長手方向の他方の端部側を結ぶ仮想直線。
【図１】
0003192346.tif 000003
【図２】
0003192346.tif 000004
【図３】
0003192346.tif 000005
【図４】
0003192346.tif 000006
【図５】
0003192346.tif 000007
【図６】
0003192346.tif 000008
【図７】
0003192346.tif 000009
【図８】
0003192346.tif 000010
【図９】
0003192346.tif 000011
【図１０】
0003192346.tif 000012
【図１１】
0003192346.tif 000013
【図１２】
0003192346.tif 000014
【図１３】
0003192346.tif 000015
【図１４】
0003192346.tif 000016
【図１５】
0003192346.tif 000017
【図１６】
0003192346.tif 000018
【図１７】
0003192346.tif 000019